(57)【要約】【課題】  複雑な機構部品を用いることなく、コストアップを抑えつつも、ジョブオフセット機能を有する、優れたインクジェットプリンタを提供することを目的とする。【解決手段】  互いに同一なサイズのカット紙を積載可能なカセットを複数個具備したインクジェットプリンタにおいて、カット紙の中心位置がずれるようにカセットをずらして配置し、印刷ジョブ毎に給紙するカセットを交互に選択することで給紙位置を変化させ、ジョブオフセットとする構成とする。【選択図】  図１
2007112535.tif 000002
【特許請求の範囲】
【請求項１】
カセットに積載されたカット紙を給紙し、印刷ジョブに従って該紙に印刷を行い、プリンタ外部へ排紙するインクジェットプリンタであり、かつ、互いに同一なサイズのカット紙を積載可能なカセットを、複数個具備したインクジェットプリンタにおいて、該複数個のカセットそれぞれに積載されたカット紙の中心位置が、排紙の向きに直交した方向であり、かつ、カセット内部に積載された紙の表面に平行な方向に、カセット間でわざとずらして配置されたことを特徴としたインクジェットプリンタ。
【請求項２】
請求項１に記載の、カット紙の中心位置をずらす距離に関し、プリンタから排出され積層される印字物の位置の、請求項１に記載のずらし方向におけるばらつきの標準偏差値が、複数個あるカセットのなかで最大となる値に対し、該ずらす距離が４０倍またはそれ以上であることを特徴としたインクジェットプリンタ。
【請求項３】
請求項１に記載のプリンタにおいて、第一の印刷ジョブにより印刷が行われた後に、引き続き、第二の印刷ジョブにより、第一の印刷ジョブで行われたカット紙と同一サイズのカット紙に、印刷が行われる際に、第二の印刷ジョブにより給紙を行うカセットを、第一の印刷ジョブで給紙したカセットとは異なったカセットから行うことを特徴としたインクジェットプリンタ。
【発明の詳細な説明】
【技術分野】
【０００１】
本発明はインクジェットプリンタに関する。
【背景技術】
【０００２】
一般的に、インクジェットプリンタにカット紙を給紙する方法には、印刷する枚数のボリュームに応じて、カセット給紙方式や、手差し給紙方式などが用いられている。
【０００３】
カセット給紙方式は、たとえば一つのカセットに数百枚といった、大量な枚数のカット紙を積載できる構造をとり、頻繁な紙くべ行為なく、連続的な印刷を実現させるプリンタに一般的に採用されている。さらに、プリンタ本体にカセットを複数個搭載することで、さらに多くの連続給紙を可能とし、特にオフィス環境で用いられるプリンタに用いられている。
【０００４】
プリンタは、パソコンから送られた印刷ジョブを受け取ると、カセットから給紙を行い、印刷を行い、排紙トレー上に印字物を排出し、蓄積するのが一般的である。
【０００５】
一般的にオフィスで使用されるプリンタは、複数台のパソコンと接続され、すなわち、複数のユーザーによって共有され、大量の印刷ジョブが受信される。特に、前術の大量給紙が可能なプリンタの場合、大量の印字物が、排紙トレー上に積層された状態で蓄積され得る。
【０００６】
ユーザーが印刷物を取得するためには、排紙トレーに積層された印刷物から所望の印刷物を探し出す必要がある。特に、積層された印字物の枚数が多い場合や、受信した印刷ジョブの回数が多い場合は、印刷ジョブの境目を区別できないために、所望の出力物を探し出す行為が煩雑であった。
【０００７】
このような煩雑さを解消するために、排紙時の印字物を移動、整列させる、ジョブオフセット方式が提案されている。
【０００８】
従来例としては、例えば特許文献１をあげることが出来る。
【特許文献１】特開平１１−０１０９８８号公報
【発明の開示】
【発明が解決しようとする課題】
【０００９】
しかしながら、ジョブオフセット方式は、ジョブオフセットを行うための複雑な機構が必要となる場合があり、このような場合機構部品の追加はプリンタの本体価格の上昇を引き起こす可能性があった。
【００１０】
また、機構部分が故障する可能性があり、プリンタ本体の信頼性を低下させる要素となり得た。
【００１１】
このようなコストアップや信頼性の低下は問題である。
【００１２】
上記の問題点を鑑み、本発明は、複雑な機構部品を用いることなく、コストアップを抑えつつも、ジョブオフセット機能を有する、優れたインクジェットプリンタを提供することを目的とする。
【課題を解決するための手段】
【００１３】
上記問題点を解決するために、本発明は、カセットに積載されたカット紙を給紙し、印刷ジョブに従って該紙に印刷を行い、プリンタ外部へ排紙するインクジェットプリンタであり、かつ、互いに同一なサイズのカット紙を積載可能なカセットを、複数個具備したインクジェットプリンタにおいて、該複数個のカセットそれぞれに積載されたカット紙の中心位置が、排紙の向きに直交した方向であり、かつ、カセット内部に積載された紙の表面に平行な方向に、カセット間でわざとずらして配置されたインクジェットプリンタとし、そして、カット紙の中心位置をずらす距離に関し、プリンタから排出され積層される印字物の位置の、前記のずらし方向におけるばらつきの標準偏差値が、複数個あるカセットのなかで最大となる値に対し、該ずらす距離が４０倍またはそれ以上であることを特徴としたインクジェットプリンタであり、さらには、第一の印刷ジョブにより印刷が行われた後に、引き続き、第二の印刷ジョブにより、第一の印刷ジョブで行われたカット紙と同一サイズのカット紙に印刷が行われる際に、第二の印刷ジョブにより給紙を行うカセットを、第一の印刷ジョブで給紙したカセットとは異なったカセットから行うインクジェットプリンタとするものである。
【発明の効果】
【００１４】
上記説明で明らかなように、本発明のインクジェットプリンタにより、複雑な機構部品を用いることなく、コストアップを抑えつつも、ジョブオフセット機能を有する、優れたインクジェットプリンタを提供することができる。
【発明を実施するための最良の形態】
【００１５】
以下、本発明の実施の形態を図に基づいて説明する。
【００１６】
図１から図３は、同一形状のカセットをプリンタ本体内にずらして配置することで、ジョブオフセットを行うインクジェットプリンタの説明である：
図１は、本発明が実施されたインクジェットプリンタの概略を示した図である。
【００１７】
１はプリンタ本体、２−１、２−２は給紙を行うカセットであり、図示しない内部構造をすくめ、互いに同一形状である。３は排紙トレーであり、４はトレー３上で見た排紙の向きを示す。５は排紙の向き４に直交し、かつ、カセット２−１内部に積載された、図示しない紙の表面に平行な方向である。
【００１８】
カセット２−１と２−２は、少なくとも方向５に沿って、互いにずらして配置されている。
【００１９】
図１に記載のずらす距離は、カセット２−１から給紙された印字物の中心位置の、方向５におけるばらつきの標準偏差、または、カセット２−２から給紙された印字物の中心位置の、方向５におけるばらつきの標準偏差、のうち、大きいほうの４０倍、またはそれ以上、とする。
【００２０】
簡単のために、給紙を行うカセットが２個の場合について説明しているが、これは２個に限定するものではなく、３個以上あってもよい。
【００２１】
図２は、プリンタ１が、図示しないパソコンから送られた第一の印刷ジョブを受け取り、カセット２−１から給紙を行い、図示しない印刷機構により印刷を行い、排紙トレー３の上に印字物を排出し、蓄積した状態を示したものである。
【００２２】
図３は、プリンタ１が、該第一の印刷ジョブに引き続き、第二の印刷ジョブを受け取り、印字物を排出した状態を示したものである。
【００２３】
プリンタ1は、カセット２−２から給紙を行い、前述の動作と同様に、図示しない印刷機構により印刷を行い、排紙トレー３の上の、第一の印刷ジョブにより排紙された印字物上に印字物を排出し、蓄積する。
【００２４】
カセット２−１と２−２は、方向５に沿って互いにずらして配置されていることから、第二の印刷ジョブによりトレー３上に蓄積される印字物の位置は、カセット２−２が２−１に対してずれた量だけ方向５に沿ってずれる。
【００２５】
引き続き印刷ジョブを受け取ると、カセットは交互に選択され、印字物は方向５に交互にずれて排出され、図４に示すように交互にずれて蓄積される。
【００２６】
次に、互いに異なる形状のカセットを少なくとも２つ搭載し、ジョブオフセットを行うプリンタの説明を、図５から８を用いて行う：
図５は、図１のカセット２−１の、内部の概略を示したものであり、該カセットを、図１における上方から見た図である。
【００２７】
６は、カセットのカット紙が積載される面であり、内部に、カット紙７が積載されている。
【００２８】
図６は、カセット２−３の説明図であり、図５で示したカセット２−１の、カット紙を積載する位置だけをずらしたものである。図５と同様に、６はカセット２−３のカット紙が積載される面であり、内部に、カット紙８が積載されている。４は、図１で説明した排紙の向きであり、５は、排紙の向き４に直交し、かつ、カット紙8の表面に平行な方向である。
【００２９】
カット紙８のカット紙７に対するずらし量は、図１で説明した考え方と同じであり、方向５における、ばらつきの標準偏差の、40倍またはそれ以上とする。
【００３０】
また、図６では、簡単のために、カット紙８を左側にずらした状態を例にあげて説明しているが、左側に限ったものではなく、右側であってもよい。
【００３１】
図７は、図１におけるカセット２−２を、図6に示すカセット２−３に置き換えたことだけが異なるプリンタを示した図であり、図１で説明した動作と同じ動作により、図８に示すように、印字物を排紙トレー上に、交互にずらして蓄積できる。
【図面の簡単な説明】
【００３２】
【図１】本件を採用したプリンタを示す概略図
【図２】本件を採用したプリンタを示す概略図
【図３】本件を採用したプリンタを示す概略図
【図４】本件を採用したプリンタを示す概略図
【図５】本件を採用したカセットを示す概略図
【図６】本件を採用したカセットを示す概略図
【図７】本件を採用したプリンタを示す概略図
【図８】本件を採用したプリンタを示す概略図
【図１】
2007112535.tif 000003
【図２】
2007112535.tif 000004
【図３】
2007112535.tif 000005
【図４】
2007112535.tif 000006
【図５】
2007112535.tif 000007
【図６】
2007112535.tif 000008
【図７】
2007112535.tif 000009
【図８】
2007112535.tif 000010